【手続補正書】
【提出日】平成25年5月2日(2013.5.2)
【手続補正１】
【補正対象書類名】明細書
【補正対象項目名】００１５
【補正方法】変更
【補正の内容】
【００１５】
位置信号線220は、新しいピクセルを生成する場所を識別する位置インジケータμkを受信できる。パラメトリックファロー構造200内の信号に、位置インジケータμkを乗算できる(乗算器222で)。位置インジケータμkによって識別された位置のために、入力ピクセルに基づいて出力信号y(k)(たとえば新しいピクセル)を出力信号線230上で生成できる。一実施形態では、パラメトリックファロー構造200は4ポイント区分パラボリックファロー構造でよく、2次補間器と呼ばれる。
【手続補正２】
【補正対象書類名】明細書
【補正対象項目名】００１７
【補正方法】変更
【補正の内容】
【００１７】
再び図2を参照すると、入力信号線202の入力信号がx(2)の場合、それぞれポイント204および210の信号はx(1)でよく、ポイント206および212の信号はx(0)でよく、ポイント208の信号はx(-1)でよい。図2に示されるように、x(2)は増幅器218.1によって増幅されて、加算器224.1に加算されてよい。加算器224.1での他の入力は、ポイント204で信号x(1)を増幅する増幅器218.2からのネガティブ入力でよい。したがって、加算器224.1は加算器224.3に入力されるαx(2)-αx(1)の出力を生成できる。加算器224.3は、ポイント206で信号x(0)を増幅する増幅器218.3からのネガティブ入力(たとえば-αx(0))を有することもできる。したがって、加算器224.3は加算器224.5に入力されるαx(2)-αx(1)-αx(0)の出力を生成できる。加算器224.5は、加算器224.3からの出力および増幅器218.4からの出力(たとえばαx(-1))を加算して、αx(2)-αx(1)-αx(0)+αx(-1)の出力を有することができる。乗算器222.1で加算器224.5の出力を位置信号μkに乗算できる。したがって、乗算器222.1は(αx(2)-αx(1)-αx(0)+αx(-1)) μkの出力を有することができる。
【手続補正３】
【補正対象書類名】特許請求の範囲
【補正対象項目名】全文
【補正方法】変更
【補正の内容】
【特許請求の範囲】
【請求項１】
入力ピクセルのシーケンスを受信するための入力を有し、４つの連続した入力ピクセル毎の差異に基づいて調整可能パラメータ アルファ(α)を生成するように構成されたコンテンツ検出モジュールと、
入力ピクセルの前記シーケンスのための入力、および前記コンテンツ検出モジュールの出力に結合された制御入力を有するデジタルフィルタと、
を備え、
前記デジタルフィルタは、前記パラメータによってフィルタリング係数を調整し、４つの連続した入力ピクセル毎に１つの出力ピクセルを生成し、
それぞれの出力ピクセルは、４つの係数Ｃ-１、Ｃ０，Ｃ１、Ｃ２を４つの連続した入力ピクセルx(-1), x(0), x(1), x(2)のシーケンスのそれぞれに乗算し、式：
ｙ（ｋ）＝Ｃ２x(2)＋Ｃ１x(1)＋Ｃ０x(0)＋Ｃ-１x(-1)
で表されるように、それらの乗算結果を加算することにより生成され、
x(-1)は、前記４つの連続した入力ピクセルの第１入力ピクセルであり、
x(0)は、第２入力ピクセルであり、
x(1)は、第３入力ピクセルであり、
x(2)は、第４入力ピクセルであり、
前記生成された出力ピクセルは、x(0)とx(1)の間であり、
前記４つの係数は、以下の式：
Ｃ-１＝αμｋ２−αμｋ
Ｃ０＝−αμｋ２＋（α−１）μｋ＋１
Ｃ１＝−αμｋ２＋（α＋１）μｋ
Ｃ２＝αμｋ２−αμｋ
０≦μｋ＜１
の調整可能パラメータαから決定されることを特徴とする画像処理システム。
【請求項２】
前記デジタルフィルタは、マルチポイントファロー構造であることを特徴とする請求項1に記載の画像処理システム。
【請求項３】
前記画像処理システムは、前記フィルタリング係数を使用して画像のアップコンバージョンのためのピクセルを生成するように構成されることを特徴とする請求項2に記載の画像処理システム。
【請求項４】
前記調整可能パラメータは、前記シーケンスの前記ピクセルx(-1)とx(0)間、前記ピクセルx(0)とx(1)間、及び前記ピクセルx(1)とx(2)間の差異によって決定されることを特徴とする請求項3に記載の画像処理システム。
【請求項５】
前記調整可能パラメータは、高、中高、中、低、およびオフのうちの1つの値を有することを特徴とする請求項3に記載の画像処理システム。
【請求項６】
前記x(0)とx(1)のピクセル間の差異が、第1しきい値よりも大きいかそれと等しい場合、前記調整可能パラメータが前記高の値を有することを特徴とする請求項5に記載の画像処理システム。
【請求項７】
前記x(0)とx(1)のピクセル間の差異が、前記第1しきい値よりも小さく、第2しきい値よりも大きいかそれと等しい場合、前記調整可能パラメータが前記中高の値を有することを特徴とする請求項5に記載の画像処理システム。
【請求項８】
前記x(0)とx(1)のピクセル間の差異が、前記第2しきい値よりも小さく、第3しきい値よりも大きいかそれと等しい場合、前記調整可能パラメータが前記中の値を有することを特徴とする請求項5に記載の画像処理システム。
【請求項９】
1)前記x(0)とx(1)のピクセル間の差異が、前記第3しきい値よりも小さく、第4しきい値よりも大きいかそれと等しい場合、ならびに2)前記x(-1)とx(0)のピクセル間の差異、ならびにx(1)とx(2)のピクセル間の差異の両方が第5しきい値よりも大きい場合、前記調整可能パラメータが前記中の値を有することを特徴とする請求項5に記載の画像処理システム。
【請求項１０】
1)前記x(0)とx(1)のピクセル間の差異が、前記第4しきい値よりも小さい場合、ならびに2)前記x(-1)とx(0)のピクセル間の差異、ならびにx(1)とx(2)のピクセル間の差異の両方が第6しきい値よりも大きい場合、前記調整可能パラメータが前記中の値を有することを特徴とする請求項5に記載の画像処理システム。
【請求項１１】
1)前記x(0)とx(1)のピクセル間の差異が、前記第4しきい値よりも小さい場合、ならびに2)前記x(-1)とx(0)のピクセル間の差異、ならびにx(1)とx(2)のピクセル間の差異の両方が第6しきい値よりも大きい場合、前記調整可能パラメータが前記低の値を有することを特徴とする請求項5に記載の画像処理システム。
【請求項１２】
1)前記x(0)とx(1)のピクセル間の差異が、前記第4しきい値よりも小さい場合、ならびに2)前記x(-1)とx(0)の前記ピクセル間の差異、ならびにx(1)とx(2)のピクセル間の差異の両方が第6しきい値よりも大きい場合、前記調整可能パラメータが前記オフであることを特徴とする請求項5に記載の画像処理システム。
【請求項１３】
前記調整可能パラメータは、入力ピクセルの周波数スペクトルに基づいて選択されることを特徴とする請求項5に記載の画像処理システム。
【請求項１４】
前記画像は、水平次元および垂直次元を備え、
入力ピクセルの前記シーケンスは、前記水平次元および前記垂直次元のうちの1つであることを特徴とする請求項3に記載の画像処理システム。
【請求項１５】
前記デジタルフィルタによって生成されたピクセルを、前記入力ピクセルによって決定された範囲内に制限するオーバーシュート制御をさらに備えることを特徴とする請求項1に記載の画像処理システム。
【請求項１６】
前記画像処理システムは、入力ピクセルに基づいてデシメーションを実行するように構成されることを特徴とする請求項1に記載の画像処理システム。
【請求項１７】
前記画像処理システムは、ローパスフィルタリングおよび双線形補間を実行することによってデシメーションを実行することを特徴とする請求項16に記載の画像処理システム。
【請求項１８】
入力ピクセルのシーケンスを受信するステップと、
隣接する入力ピクセルのそれぞれの対の値を比較するステップと、
隣接する入力ピクセルのそれぞれの対の値の差異に基づいて、調整可能パラメータ アルファ(α)の値を決定するステップと、
新しいピクセルのための位置と前記調節可能パラメータに基づいて入力ピクセルに適用される係数を計算するステップと、
デジタルフィルタによって、前記計算された係数を使用して前記新しいピクセルを生成するステップと、
を備え、
前記係数は、前記デジタルフィルタ内の前記入力ピクセルに適用され、
前記新しいピクセルは、４つの係数Ｃ-１、Ｃ０，Ｃ１、Ｃ２を４つの連続した入力ピクセルx(-1), x(0), x(1), x(2)のシーケンスのそれぞれに乗算し、式：
ｙ（ｋ）＝Ｃ２x(2)＋Ｃ１x(1)＋Ｃ０x(0)＋Ｃ-１x(-1)
で表されるように、それらの乗算結果を加算することにより生成され、
x(-1)は、前記４つの連続した入力ピクセルの第１入力ピクセルであり、
x(0)は、第２入力ピクセルであり、
x(1)は、第３入力ピクセルであり、
x(2)は、第４入力ピクセルであり、
前記新しいピクセルは、x(0)とx(1)の間であり、
前記４つの係数は、以下の式：
Ｃ-１＝αμｋ２−αμｋ
Ｃ０＝−αμｋ２＋（α−１）μｋ＋１
Ｃ１＝−αμｋ２＋（α＋１）μｋ
Ｃ２＝αμｋ２−αμｋ
０≦μｋ＜１
の調整可能パラメータαから決定されることを特徴とする入力画像をサイズ変更するための方法。
【請求項１９】
前記入力画像は、水平次元および垂直次元を備え、
入力ピクセルの前記シーケンスは、前記水平次元および前記垂直次元のうちの1つであることを特徴とする請求項18に記載の方法。
【請求項２０】
前記デジタルフィルタは、4ポイントパラボリックファロー構造であることを特徴とする請求項18に記載の方法。
【請求項２１】
前記調整可能パラメータの前記値は、高、中高、中、低、およびオフのうちの1つであることを特徴とする請求項20に記載の方法。
【請求項２２】
前記調整可能パラメータが、
前記シーケンスの前記第2入力ピクセルと第3入力ピクセルとの間の差異が、第1しきい値よりも大きいかそれと等しい場合は高の値を有し、
前記シーケンスの前記第2入力ピクセルと第3入力ピクセルとの間の差異が、前記第1しきい値よりも小さく、第2しきい値よりも大きいかそれと等しい場合は中高の値を有し、
(1)前記シーケンスの前記第2入力ピクセルと第3入力ピクセルとの間の差異が、前記第2しきい値よりも小さく、第3しきい値よりも大きいかそれと等しい場合、または、
(2)前記シーケンスの前記第2入力ピクセルと第3入力ピクセルとの間の差異が、前記第3しきい値よりも小さく、第4しきい値よりも大きいかそれと等しく、前記シーケンスの前記第1入力ピクセルと第2入力ピクセルとの間の差異、および前記第3入力ピクセルと第4入力ピクセルとの間の差異の両方が第5しきい値よりも大きい場合、または、
(3)前記シーケンスの前記第2入力ピクセルと第3入力ピクセルとの間の差異が、前記第4しきい値よりも小さく、前記シーケンスの前記第1入力ピクセルと第2入力ピクセルとの間の差異、および前記第3入力ピクセルと第4入力ピクセルとの間の差異の両方が第6しきい値よりも大きい場合は中の値を有し、
1)前記シーケンスの前記第2入力ピクセルと第3入力ピクセルとの間の差異が、前記第4しきい値よりも小さい場合、ならびに2)前記シーケンスの前記第1入力ピクセルと第2入力ピクセルとの間の差異、および前記第3入力ピクセルと第4入力ピクセルとの間の前記差異の両方が第6しきい値よりも大きい場合は低の値を有し、
1)前記シーケンスの前記第2入力ピクセルと第3入力ピクセルとの間の差異が、前記第4しきい値よりも小さい場合、2)前記シーケンスの前記第1入力ピクセルと第2入力ピクセルとの間の差異、および前記第3入力ピクセルと第4入力ピクセルとの間の差異の両方が第6しきい値よりも大きい場合はオフであることを特徴とする請求項21に記載の方法。
【請求項２３】
前記生成されたピクセルは、出力される前にオーバーシュート制御に送信されることを特徴とする請求項20に記載の方法。
【請求項２４】
前記調整可能パラメータの前記値は、入力ピクセルの周波数スペクトルに基づいて決定されることを特徴とする請求項20に記載の方法。
【手続補正４】
【補正対象書類名】図面
【補正対象項目名】図２
【補正方法】変更
【補正の内容】
【図２】
2012526458.tif 000001